(57)【特許請求の範囲】
【請求項１】
発音装置の識別情報と対象物情報とを対応づけて所定の記憶領域に保持する情報保持手段と、
前記発音装置の前記識別情報を通信装置から受信し、受信された前記発音装置の前記識別情報にしたがって、前記情報保持手段から前記識別情報に対応する前記対象物情報を取得する取得手段と、
前記取得手段によって取得した前記対象物情報を前記通信装置に送信する送信手段と、
前記識別情報に対応する対象物情報が複数ある場合、前記通信装置に対して対象物情報を取得したい対象物の撮影を要求する要求手段と、
を有し、
前記取得手段は、前記通信装置から受信した前記識別情報及び撮影された画像に基づき、前記識別情報に対応する対象物情報の中から該当する対象物情報を取得する、情報処理装置。
【請求項２】
発音装置と、該発音装置から発信される音を取得し、取得された音に基づいて前記発音装置の識別情報を抽出する通信装置と、該通信装置とネットワークを介して接続される情報処理装置とを有する情報提供システムであって、
前記通信装置は、
前記発音装置から発信される音を取得する音取得手段と、
取得された音から前記発音装置の識別情報を抽出する抽出手段と、
抽出された前記識別情報を前記情報処理装置に送信する送信手段と、
前記情報処理装置から前記識別情報に対応づけられた対象物情報を受信する受信手段と、
受信した対象物情報を表示する表示手段と、
対象物を撮影する撮影手段とを有し、
前記情報処理装置は、
発音装置の識別情報と対象物情報とを対応づけて所定の記憶領域に保持する情報保持手段と、
前記発音装置の前記識別情報を前記通信装置から受信し、受信された前記発音装置の前記識別情報にしたがって、前記情報保持手段から前記識別情報に対応する前記対象物情報を取得する取得手段と、
前記取得手段によって取得した前記対象物情報を通信装置に送信する送信手段と、
前記識別情報に対応する対象物情報が複数ある場合、前記通信装置に対して対象物情報を取得したい対象物の撮影を要求する撮影要求手段とを有し、
前記取得手段は、前記通信装置から受信した前記識別情報及び撮影された画像に基づき、前記識別情報に対応する対象物情報の中から該当する対象物情報を取得する、情報提供システム。
【請求項３】
前記発音装置は、前記通信装置の前記音取得手段の位置に基づいて配置される、請求項２記載の情報提供システム。
【請求項４】
前記発音装置は、前記通信装置の前記音取得手段の位置よりも下方に配置される、請求項３記載の情報提供システム。
【発明の詳細な説明】
【技術分野】
【０００１】
本発明は、情報処理装置、通信装置、及び情報提供システムに関する。
【背景技術】
【０００２】
多種多様な生物や展示物などの対象物を備える施設において、各対象物についての説明書きが掲示されている。閲覧者が説明書きを見るためには、掲示されている説明書きの前まで行かなければならなかった。説明書きの前は混雑することが多く、説明書きを見るまでに時間を要するといった問題があった。
【０００３】
この問題を解決するため、知りたい対象物の画像を情報端末に取り込むことにより、知りたい対象物の情報を得ることができる技術が知られている。
【０００４】
例えば、情報を取得したい対象物の画像データをサーバへ送信し、サーバ側で予め登録されている画像データと情報を取得したい対象物の画像データとを比較し、合致する画像データと対応付けられた対象物の情報を通信端末に送信する技術が既に知られている（例えば、特許文献１などを参照）。
【発明の概要】
【発明が解決しようとする課題】
【０００５】
上述の従来技術は対象の情報が記された説明書きを見に行かなくとも、その場で取得したい対象物の情報を取得できるという効果があった。しかしながら、施設には検索対象となる対象物が数多く存在するため、ユーザが該当する対象を見つけ、ユーザに関連する情報を提供するまでに時間を要するという問題があった。
【０００６】
本発明は、上記の従来の問題点に鑑み提案されたものであり、その目的とするところは、取得したい対象物の情報を容易に取得できる情報処理装置、通信装置、及び情報提供システムを提供することにある。
【課題を解決するための手段】
【０００７】
上記の課題を解決するため、例えば、情報処理装置は、発音装置の識別情報と対象物情報とを対応づけて所定の記憶領域に保持する情報保持手段と、前記発音装置の前記識別情報を通信装置から受信し、受信された前記発音装置の前記識別情報にしたがって、前記情報保持手段から前記識別情報に対応する前記対象物情報を取得する取得手段と、前記取得手段によって取得した前記対象物情報を前記通信装置に送信する送信手段と、前記識別情報に対応する対象物情報が複数ある場合、前記通信装置に対して対象物情報を取得したい対象物の撮影を要求する要求手段と、を有し、前記取得手段は、前記通信装置から受信した前記識別情報及び撮影された画像に基づき、前記識別情報に対応する対象物情報の中から該当する対象物情報を取得する。
【発明の効果】
【０００８】
本発明の一側面によると、検索したい対象物の情報を容易に取得することができる。
【図面の簡単な説明】
【０００９】
【図１】本実施形態における情報提供システムのシステム構成の一例を示す図である。
【図２】本実施形態の情報端末におけるスピーカ、マイク、カメラなどの位置関係の一例を示した図である。
【図３】本実施形態における情報端末の持ち方のイメージ図である。
【図４】本実施形態における情報端末のハードウエア構成の一例を示す図である。
【図５】本実施形態における発音装置のハードウエア構成の一例を示す図である。
【図６】本実施形態におけるサーバのハードウエア構成の一例を示す図である。
【図７】本実施形態における情報提供システムを構成する各構成要素の機能構成の一例を示す図である。
【図８】本実施形態における各発音装置の識別情報に対応づけられた対象物情報の蓄積数を示す情報のデータ構成の一例を示す図である。
【図９】本実施形態における対象物情報の表示画面の一例を示す図である。
【図１０】本実施形態におけるサーバに保存される登録情報のデータ構成の一例を示す図である。
【図１１】本実施形態における発音装置の所在情報のデータ構成の一例を示す図である。
【図１２】本実施形態における情報端末が発音装置識別情報を用いて対象物情報を取得するまでの流れを示すシーケンス図である。
【図１３】本実施形態における情報端末が対象物情報を取得する処理の手順の一例を示す図である。
【図１４】本実施形態におけるサーバが対象物情報を情報端末に送信する処理の手順の一例を示す図である。
【図１５】本変形例における情報提供システムの各構成要素の機能構成の一例を示す図である。
【図１６】本変形例における情報端末が発音装置識別情報を用いて対象物情報を取得するまでの流れを示すシーケンス図である。
【発明を実施するための形態】
【００１０】
以下、本発明の好適な実施形態について説明する。
【００１１】
＜システム構成＞
≪システム概要≫
図１は本実施形態における情報提供システム１のシステム構成の一例を示す図である。情報提供システム１は、情報端末２、発音装置３、サーバ４を備える。サーバ４はネットワークを介して情報端末２及び発音装置３と接続される。
【００１２】
情報端末２は情報処理端末であり、例えば、スマートフォン、タブレット型端末、及び携帯電話などである。情報端末２は発音装置３から発せられる音を取得し、音から発音装置の識別情報（以後、発音装置識別情報と呼ぶ）を抽出する。情報端末２は抽出した発音装置識別情報と対象物情報の送信要求をサーバ４に送信する。情報端末２は、サーバから対象物情報を受信し、表示する。対象物は、展示されている生物、商品、美術品などである。対象物情報は、対象物の名称など対象物に関する情報である。
【００１３】
発音装置３は音を発する装置であり、例えば、スピーカなどである。発音装置３はサーバ４から送信される発音装置３の識別情報を受信する。発音装置３は受信した識別情報を含む音を発する。発音装置３の識別情報の設定はサーバ４からの受信による方法に限定されず、手動で設定する方法であってもよい。
【００１４】
サーバ４は、例えば、ＰＣ（Personal Computer）などである。サーバ４は発音装置３の識別情報を所定の記憶領域に記憶する。また、サーバ４は発音装置３の識別情報を発音装置３へ送信する。サーバ４と発音装置３との通信には、例えば、ＨＴＴＰ（Hypertext Transfer Protocol）などの通信プロトコルが用いられる。
【００１５】
また、サーバ４は発音装置識別情報と対応づけて対象物情報を記憶している。サーバ４は、情報端末２から送信される発音装置３の識別情報、もしくは発音装置３の識別情報と取得した対象物の画像データに基づき、該当する対象物情報を検索し、情報端末２へ送信する。
【００１６】
なお、本実施形態において、サーバ４の機能が１台の装置に集約されているが、それぞれの機能を一以上の装置に分散させる構成であってもよい。
【００１７】
≪情報端末の構造≫
図２は情報端末２におけるスピーカ、マイク、カメラなどの位置関係の一例を示した図である。図２に示すように、スマートフォンをはじめとする情報端末２の多くは、表示部よりも下にマイクが備えられている。また、カメラは、表示部よりも上に備えられている。
【００１８】
上述した構造の情報端末において、カメラによって撮影を行う場合、ユーザは、手でカメラをふさがないようにする為、カメラが上、マイクが下になるように持つ。
【００１９】
図３（ａ）は、カメラをふさがないように、カメラが上、マイクが下になるような持ち方のイメージ図である。また、図３（ｂ）に示すように、ユーザが、情報端末２を回転させて、横向きになるように持つ場合もある。その際、ユーザはカメラを手でふさがないように持ち、マイクの位置は横向きとなる。なお、図３（ｃ）に示すように、ユーザが、カメラを手でふさいで、マイクが上になるような持ち方をすることも可能であるが、この場合、ユーザが、カメラを手でふさいでしまうため、撮影ができなくなってしまう。
【００２０】
≪発音装置の設置位置≫
発音装置３は、情報端末２のマイクが発音装置３からの直接音を取得できる位置に設置することが望ましい。情報端末２が発音装置３からの直接音を集音できる位置に発音装置３を設置することで、情報端末２は、効果的に発音装置３の発する音を取得できる。また、情報端末２が発音装置３からの直接音を取得できる位置に発音装置３を設置することで、発音装置３は、情報端末２が発音装置３から直接音を取得できない場合よりも、発する音の音量を下げることができる。これにより、発音装置３の消費電力を抑えることができる。また、発する音がユーザの耳障りにならないようにすることができる。なお、耳障りに関しては、発音装置が発する音を高周波にした場合、大人には聞こえないため、不快に感じることはないが、子供や動物の場合、高周波も可聴帯域であるため、うるさく感じる場合がある点を考慮する必要がある。
【００２１】
発音装置３の設置位置は、図２に示した情報端末の構造を考慮すると、例えば、ユーザが情報端末２を持つ位置よりも低い位置であるとよい。例えば、ユーザが情報端末２を持つ位置よりも低い位置は、ユーザが上に手を伸ばした時の高さよりも低い位置である。
【００２２】
なお、情報端末２によっては、マイクの位置が表示部の上に備えられている場合もあるので、発音装置３の設置位置は、ユーザが情報端末２を持つ位置よりも低い位置に限定されず、ユーザが情報端末２を持つ位置よりも高い位置であってもよい。
【００２３】
また、ユーザに利用されている情報端末２のマイクの位置に関する統計的な情報に基づいて、発音装置３の位置を定めてもよい。
【００２４】
＜ハードウエア構成＞
≪情報端末≫
図４は本実施形態における情報端末２のハードウエア構成の一例を示す図である。情報端末２はＥＥＰＲＯＭ（Electrically Erasable Programmable Read-Only Memory）２０１、ＲＯＭ（Read Only Memory）２０２、ＲＡＭ（Random Access Memory）２０３、ＣＰＵ（Core Process Unit）２０４、カメラ２０５、入力部２０６、表示部２０７、集音部２０８、発音部２０９、ドライブ２１０、移動体通信部２１２、無線ＬＡＮ通信部２１３を備え、それぞれがバスＢで接続される。ドライブ２１０には記憶媒体２１１が接続される。
【００２５】
ＥＥＰＲＯＭ２０１はＣＰＵ２０４が実行するプログラム又はデータなどを記憶するために用いられる。プログラムは、例えば、ＯＳ、ミドルウェア、各種機能を提供するアプリケーションなどである。
【００２６】
ＲＯＭ２０２はＩＰＬ（Initial Program Loader）や静的なデータなどを記憶するために用いられる。
【００２７】
ＲＡＭ２０３はＣＰＵ２０４からの起動要求に応じてＥＥＰＲＯＭ２０１などからプログラムを読み出し、ＲＡＭ内に格納する。
【００２８】
ＣＰＵ２０４はＲＡＭ２０３などに格納されたプログラムにしたがって演算処理を実行する。
【００２９】
カメラ２０５は被写体を撮影し、画像データを生成するために用いられる。カメラ２０５は、例えば、ＣＭＯＳ（Complementary Metal-Oxide Semiconductor）やＣＣＤ（Charge Coupled Device）などで構成される。
【００３０】
入力部２０６はユーザから操作を受け付ける。入力部２０６は例えば、タッチパネルである。
【００３１】
表示部２０７は各種データや操作画面などを出力表示する。出力部２０７は、例えば、液晶ディスプレイである。
【００３２】
集音部２０８は音の入力を行う。集音部２０８は例えば、集音マイクである。本実施形態の情報提供システム１において、集音部２０８は、発音装置３が発する音を取得する。
【００３３】
発音部２０９は音を出力する。発音部２０９は、例えば、スピーカである。
【００３４】
ドライブ２１０は記憶媒体からデータを読み出し、あるいは記憶媒体２１１への書き込みを行う。記憶媒体２１１として、フラッシュメモリ等の半導体メモリ等、様々なタイプの記憶媒体が用いられる。
【００３５】
移動体通信部２１２は、ＬＴＥなど携帯電話の通信方式を用いて無線通信を行う。
【００３６】
無線ＬＡＮ通信部２１３は、ＩＥＥＥ８０２．１１シリーズなど無線ＬＡＮ通信規格に準拠した通信方式を用いて無線通信を行う。
【００３７】
≪発音装置≫
図５は、本実施形態における発音装置３のハードウエア構成例を示す図である。発音装置３は、メモリ３０１、ＣＰＵ３０２、ネットワークＩ／Ｆ３０３、増幅器３０４、スピーカ３０５、及びドライブ３０６を備え、それぞれがバスＢで接続される。ドライブ３０６には記憶媒体３０７が接続される。
【００３８】
メモリ３０１は、プログラムやデータを記憶するために用いられる。メモリ３０１はネットワークＩ／Ｆを介してサーバから取得した発音装置３の識別情報を記憶する。
【００３９】
ＣＰＵ３０２はメモリ３０１などに格納されたプログラムにしたがって演算処理を実行する。
【００４０】
ネットワークＩ／Ｆ３０３はネットワークに接続するために用いられ、モデム、ＬＡＮカード等から構成される。
【００４１】
増幅器３０４はメモリ３０１に保存されている音を増幅するために用いられる。
【００４２】
スピーカ３０５は、増幅器３０４にて増幅された音を出力するために用いられる。
【００４３】
ドライブ３０６は記憶媒体３０７からデータを読み出し、あるいは書き込むために用いられる。
【００４４】
記憶媒体３０７として、ＣＤ−ＲＯＭ（Compact Disk - Read Only Memory）、光磁気ディスク、フラッシュメモリ等の半導体メモリ、様々なタイプの記憶媒体が用いられる。
【００４５】
なお、発音装置３は、各ハードウエアが一つの装置に集約される構成である必要はなく、例えば、情報処理装置にスピーカが接続される構成であってもよい。
【００４６】
≪サーバ≫
図６は、本実施形態におけるサーバのハードウエア構成の一例を示す図である。
【００４７】
サーバ４は、入力部４０１、出力部４０２、ドライブ４０３、インタフェース４０５、補助記憶部４０６、メモリ４０７、及びＣＰＵ４０８を備え、それぞれがバスＢで接続される。ドライブ４０３には記憶媒体４０４が接続されている。
【００４８】
入力部４０１は各種信号を入力するために用いられ、キーボードやマウス等から構成される。
【００４９】
出力部４０２はディスプレイなどで構成され、各種ウィンドウやデータ等を表示するために用いられる。
【００５０】
ドライブ４０３は記憶媒体からデータを読み出し、あるいは書き込むために用いられる。
【００５１】
記憶媒体４０４として、ＣＤ−ＲＯＭ（Compact Disk Read Only Memory）、光磁気ディスク等や、フラッシュメモリ等の半導体メモリ、様々なタイプの記憶媒体が用いられる。
【００５２】
インタフェース４０５はネットワークに接続するために用いられ、モデム、ＬＡＮカード等から構成される。
【００５３】
補助記憶部４０６は処理の実行に必要なプログラム、ファイル、データ等を格納するために用いられハードディスクドライブなどから構成される。
【００５４】
メモリ４０７は演算処理を実行するためにプログラムや情報を一時的に格納するために用いられ、半導体メモリ等から構成される。
【００５５】
ＣＰＵ４０８はメモリ装置に格納されたプログラムにしたがって各種処理を実行するために用いられる。
【００５６】
プログラムを記録した記憶媒体がドライブ４０３にセットされると、記憶媒体４０４からドライブ４０３を介して補助記憶部４０６にプログラムがインストールされる。プログラムのインストールは、記憶媒体を読み取ることにより行われることに限定されず、ネットワークを介してプログラムをダウンロードすることにより行われてもよい。
【００５７】
メモリ４０７はＣＰＵ４０８から起動要求に応じて補助記憶部４０６からプログラムを読み出してメモリ４０７に格納する。そして、ＣＰＵ４０８はメモリ４０７に格納されているプログラムにしたがって各種演算処理を実行する。
【００５８】
＜機能構成＞
図７は本実施形態における情報提供システム１を構成する各構成要素の機能構成の一例を示す図である。以後、各構成要素ごとに機能構成を示す。
【００５９】
≪情報端末≫
情報端末２は、発音装置識別情報抽出部２１、対象物情報送信要求部２２、撮影部２３、対象物情報蓄積数記憶部２４、表示部２５、及び通信制御部２６を有する。
【００６０】
発音装置識別情報抽出部２１は集音部２０８を介して取得した音から発音装置３の識別情報を抽出する。
【００６１】
対象物情報送信要求部２２はサーバ４に対して対象物情報の送信要求を行う。対象物情報の取得要求は、発音装置識別情報抽出部２１から取得した発音装置識別情報をサーバ４へ送信することで行われる。また、発音装置３の識別情報に複数の対象物の対象物情報が対応づけられている場合、対象物情報送信要求部２２は、発音装置３の識別情報に加え、撮影部２３にて撮影された画像データをサーバ４へ送信する。発音装置３の識別情報に複数の対象物の対象物情報が対応づけられているか否かの判断は、後述する対象物情報蓄積数記憶部２４に保持されている情報に基づいて行われる。
【００６２】
撮影部２３はカメラ２０５によって対象物を撮影する。撮影部２３は、所定の画像形式にしたがって、撮影した画像を保存する。撮影部２３によって撮影された画像データは情報端末２のＥＥＰＲＯＭ２０１など所定の記憶領域に格納される。
【００６３】
対象物情報蓄積数記憶部２４は各発音装置識別情報に対応づけられている対象物の対象物情報の数を示す情報を記憶している。
【００６４】
図８は本実施形態における各発音装置の識別情報に対応づけられた対象物数を示す情報のデータ構成の一例を示す図である。対象物情報数は、「発音装置識別情報」及び「対象物情報蓄積数」などの情報項目を有する。
【００６５】
「発音装置識別情報」は発音装置３の識別情報である。発音装置識別情報は発音装置ごとに一意に設定される。発信装置識別情報は、一意であれば、数字、文字、記号、又はそれらを組み合わせたものであってもよい。「対象物情報蓄積数」は発音装置識別情報に対応づけされた対象物情報の数を示す情報である。図８では、「ＳＰ０００００１」の発音装置識別情報には、４個の対象物の情報が対応づけられていることを示す。
【００６６】
本実施形態において、情報端末２が対象物情報蓄積数保持部２４を備えているが、サーバ４が対象物情報蓄積数保持部２４を備えてもよい。
【００６７】
表示部２５はサーバ４から受信した対象物情報を表示する。
【００６８】
図９は、本実施形態における対象物情報の表示画面の一例を示す図である。図９に示すように、対象物の画像及び対象物に関する各種情報が表示される。
【００６９】
通信制御部２６は、所定の通信プロトコルを用いてサーバ４と通信する。
【００７０】
≪発音装置≫
発音装置３は発音部３１、発音装置識別情報管理部３２、及び通信制御部３３を有する。
【００７１】
発音部３１は、発音装置３が備える記憶領域に格納されているデータを音として発信する。発音部３１よる音の発信は、例えば、１５ｋＨｚ以上の可聴領域よりも高い高周波で行う。高周波で音を発することにより、発音部３１の発する音が利用者の耳触りにならない。発音部３１が発する音には、少なくとも、自装置の発音装置識別情報が含まれる。発音部３１が、発音装置識別情報に加え、他の情報を含めて音を発信する場合、他の情報は高周波で発しなくともよい。
【００７２】
発音装置識別情報管理部３２は登録、削除、及び更新といった発音装置識別情報の管理を行う。発音装置識別情報管理部３２は、サーバ４が発音装置識別情報の更新を行った場合、もしくは発音装置識別情報が手動で変更された場合、メモリ３０１に記憶されている発音装置識別情報を更新する。
【００７３】
通信制御部３３はサーバ４とのデータの送受信を所定の通信プロトコルを用いて行う。
【００７４】
情報端末２と発音装置３との位置関係は、情報端末内でのマイクの位置に基づいて、ユーザが情報端末２を持つ位置に対して上方又は下方の位置に発音装置３を設けるなど、適宜調整される。このようにすることで情報端末２と発音装置３との通信精度を維持することができる。また、対象物に関する案内板と音声ガイドを放送するスピーカ（発音装置）が併設されている場合、このスピーカを本願の発音装置３として利用することも可能である。
【００７５】
≪サーバ≫
サーバ４は、対象物情報管理部４１、対象物情報記憶部４２、画像照合部４３、発音装置識別情報管理部４４、発音装置識別情報記憶部４５、及び通信制御部４６を有する。
【００７６】
対象物情報管理部４１は、対象物情報記憶部４２に記憶されている対象物情報の管理を行う。対象物情報管理部４１は情報端末２から発音装置識別情報を受信した場合、発音装置識別情報に対応づけられた対象物情報を後述する対象物情報記憶部４２から取得し、通信制御部４６を介して情報端末２へ送信する。
【００７７】
対象物情報管理部４１は、情報端末２から発音装置識別情報及び撮影した対象物の画像データを受信した場合、発音装置識別情報に対応する対象物の画像と情報端末２から受信した画像データとの照合処理を画像照合部４３に要求する。
【００７８】
対象物情報管理部４１は、画像照合部４３からの照合結果にしたがって、発音装置識別情報に対応する対象物情報の中から対応する対象物の対象物情報を情報端末２へ送信する。また、対応する対象物がないと判断された場合、対象物情報管理部４１は情報端末２へその旨を通知する。
【００７９】
対象物情報記憶部４２は対象物情報を保持する。図１０はサーバ４に保存されている対象物情報のデータ構成の一例を示す図である。対象物情報は「発音装置識別情報」、「対象物画像」、「名称」、「生息地域」などの情報項目を有する。
【００８０】
「発音装置識別情報」は対象物情報が対応づけられている発音装置の識別情報である。
【００８１】
「対象物画像」は対象物情報に対応する対象物の画像データである。なお、対象物画像として、例えば、対象物の正面画像と側面画像など、一つの対象物に対して複数の画像データが保存されていてもよい。
【００８２】
「対象物情報」は対象物に関する情報であり、「名称」、「生息情報」などの情報項目を有する。
【００８３】
画像照合部４３は、情報端末２から受信した発音装置識別情報に対応する対象物情報の画像データと、情報端末２から受信した画像データとの照合を行う。画像データの照合は、例えば、各画像データから任意の特徴量を抽出し、抽出された特徴量に基づいて画像の照合が行われる。画像照合部４３は最も近似する画像データを照合結果として対象物情報管理部４１へ通知する。なお、近似する画像が存在しない場合は、その旨を対象物情報管理部４１へ通知する。
【００８４】
発音装置識別情報管理部４４は、発音装置識別情報の登録、削除、変更など、各発音装置の発音装置識別情報の管理を行う。発音識別情報に変更があった場合、発音装置識別情報管理部４４は、通信制御部４６を介して、変更された発音装置識別情報を発音装置３に送信する。
【００８５】
発音装置識別情報記憶部４５は各発音装置の発音装置識別情報を記憶する。
【００８６】
図１１は本実施形態における発音装置の所在情報のデータ構成の一例を示す図である。発音装置識別情報記憶部４５が記憶する情報は、例えば、「発音装置識別情報」、「水族館所在」、「水槽番号」などの情報項目を有する。
【００８７】
「発音装置識別情報」は発音装置３の識別情報である。「発音装置識別情報」は水族館の所在及び水槽の番号と関連づけられ得る。
【００８８】
「水族館所在」は水族館の所在を示す情報であり、「水族館新横浜」というように水族館名が示される。
【００８９】
「水槽番号」は「水族館所在」に設定されている水槽の識別情報である。なお、「水槽番号」は全水族館の中で一意でなくとも、一以上の水族館の中で一意であればよい。
【００９０】
通信制御部４６は情報端末２及び発音装置３とのデータの送受信を所定の通信プロトコルを用いて制御する。
【００９１】
上述した通り、本実施形態における情報提供システム１において、発音装置の識別情報と対象物情報とが対応づけられている。発音装置識別情報、もしくは発音装置識別情報及び画像データに基づき、対象物情報の検索が行われる。このように、情報提供システム１において、発音装置３の識別情報、及び必要に応じて画像データを用いて検索を行うことができる。
【００９２】
＜処理動作＞
図１２は本実施形態における情報端末２が発音装置識別情報を用いて対象物情報を取得するまでの流れを示すシーケンス図である。
【００９３】
ステップＳ１で、発音装置３は発音装置識別情報を含めた音を発する。
【００９４】
ステップＳ２で、情報端末２は発音装置３から発せられる音を集音部２０８にて取得し、情報端末２は取得した音から発音装置識別情報を抽出する。この時、取得した音から発音装置識別情報を抽出できなかった場合、情報端末２は再度、音の取得を行う。
【００９５】
ステップＳ３で、情報端末２は抽出した発音装置識別情報をサーバ４へ送信し、サーバに対して対象物情報の送信要求を行う。
【００９６】
ステップＳ４で、サーバ４は情報端末２から受信した対象物情報の送信要求にしたがい、情報端末２から受信した発音装置識別情報に対応づけられている対象物情報を対象物情報記憶部４２から検索する。
【００９７】
ステップＳ５で、サーバ４は対象物情報記憶部４２から該当する対象物情報を取得し、情報端末２へ送信する。
【００９８】
ステップＳ６で、情報端末２はサーバから送信された対象物情報を受信する。受信後、情報端末２は自装置が有するＷｅｂブラウザなどにて、受信した対象物情報を表示する。
【００９９】
図１３は本実施形態における情報端末２が対象物情報を取得する処理の手順の一例を示す図である。
【０１００】
ステップＳ１０で、情報端末２は対象物情報を取得・表示可能なアプリケーションを起動させたタイミングで、当該処理を開始する。
【０１０１】
ステップＳ１１で、発音装置３から発せられている音が取得される。
【０１０２】
ステップＳ１２で、取得された音から発音装置３の発音装置識別情報が発音装置識別情報抽出部２１にて取得される。
【０１０３】
ステップＳ１３で、取得された発音装置識別情報に対応した対象物情報が複数存在するか否かが、対象物情報蓄積数記憶部２４の対象物情報蓄積数情報に基づき判定される。この時、判定結果がＹＥＳの場合、すなわち、発音装置識別情報に対応した対象物情報が複数存在すると判定された場合、ステップＳ１４に進む。判定結果がＮＯの場合、すなわち、識別情報に対応した対象物情報が複数存在しないと判定された場合、ステップＳ１８に進む。
【０１０４】
ステップＳ１４で、閲覧したい対象物の撮影要求がユーザに対して行われる。
【０１０５】
ステップＳ１５で、撮影部２３が起動され、閲覧したい対象物が撮影部２３にて撮影される。
【０１０６】
ステップＳ１６で、発音装置識別情報と情報を取得したい対象物の画像データとがサーバ４へ送信される。
【０１０７】
ステップＳ１７で、発音装置識別情報がサーバ４へ送信される。
【０１０８】
ステップＳ１８で、対象物情報がサーバ４から受信され、受信された対象物情報がブラウザなどによって表示される。
【０１０９】
図１４は本実施形態におけるサーバが対象物情報を情報端末２への送信する処理の手順の一例を示す図である。
【０１１０】
ステップＳ２０で、対象物情報を情報端末２へ送信する処理が開始する。
【０１１１】
ステップＳ２１で、情報端末２から対象物情報の送信要求が受信される。
【０１１２】
ステップＳ２２で、情報端末２から受信した送信要求に、発音装置識別情報に加え、画像データが含まれるか否かが、対象物情報管理部４１にて判定される。判定結果がＹＥＳの場合、すなわち情報端末２から画像データが送信された場合、ステップＳ２３に進む。判定結果がＮＯの場合、すなわち情報端末２から発音装置識別情報だけが送信されている場合、ステップＳ２５に進む。
【０１１３】
ステップＳ２３で、情報端末２から受信した発音装置識別情報に対応するすべての対象物情報が取得され、取得された対象物情報に含まれる画像データと情報端末２から受信した画像データとの照合処理が画像照合部４３に対して、要求される。
【０１１４】
ステップＳ２４で、情報端末２から受信された画像データと発音装置識別情報に基づき取得された画像データとの画像照合処理が、画像照合部４３によって行われる。照合処理が完了後、照合結果が対象物情報管理部４１へ通知される。
【０１１５】
ステップＳ２５で、照合結果にしたがって、該当する対象物情報が情報端末２へ送信され、当該処理は終了する。
【０１１６】
ステップＳ２６で、情報端末２から受信した発音装置識別情報と対応する対象物情報が情報端末２へ送信され、当該処理は終了する。
【０１１７】
上述したとおり、対象物情報の取得要求を行う場合、発音装置識別情報、及び必要に応じて画像データが、サーバ４へ送信されることにより、対象物情報の検索範囲を限定することができる。このような処理を行うことにより、全ての画像を検索する処理よりも、該当する対象物情報を取得するまでの時間を短縮することができる。
【０１１８】
＜変形例＞
上述した実施形態の変形例について説明する。変形例では、情報端末２にかわってサーバ４が、発音装置識別情報に対応付けられた対象物情報が複数か否かを判断する。なお、実施形態と異なる事項について説明を行い、同じ事項は、同一の参照符号を付し、その説明を省略する。
【０１１９】
図１５は本変形例における情報提供システム１の各構成要素の機能構成の一例を示す図である。図１５に示すように、情報端末２に替わって、サーバ４が対象物情報数判断部４７を新たに供える構成となっている。
【０１２０】
対象物情報数判断部４７は情報端末２から送信された対象物情報数が複数存在するか否かを判断する。対象物情報数が複数存在するか否かの判断は、対象物情報記憶部４２に記憶される発音装置識別情報に対応する対象物情報の数に基づいて行われる。
【０１２１】
対象物情報数判断部４７は、対象物情報数が複数存在すると判断した場合、情報端末２に対して対象物情報を閲覧したい対象物の撮影を要求する。
【０１２２】
図１６は本変形例における情報端末２が発音装置識別情報を用いて対象物情報を取得するまでの流れを示すシーケンス図である。
【０１２３】
ステップＳ３１、Ｓ３２で、情報端末２は発音装置３から音を取得し、発音装置識別情報を抽出する。
【０１２４】
ステップＳ３３で、情報端末２はサーバ４へ発音装置識別情報を送信し、対象物情報の送信要求を行う。
【０１２５】
ステップＳ３４で、サーバ４は、受信した発音装置識別情報に対応付けられた対象物情報が複数存在するか否かの判断を行う。
【０１２６】
ステップＳ３５で、サーバ４は、当該発音装置識別情報に対応付けられた対象物情報が複数存在すると判断した場合、情報端末２へ対象物情報を閲覧したい対象物の撮影要求を行う。
【０１２７】
ステップＳ３６、Ｓ３７で、情報端末２は対象物情報を閲覧したい対象物を撮影し、サーバ４へ送信する。
【０１２８】
ステップＳ３８で、サーバ４は、発音装置識別情報に対応づけられた対象物情報の画像データと、情報端末２から受信した画像データとの照合処理を実行する。
【０１２９】
ステップＳ３９で、サーバ４は、照合処理の結果、発音装置識別情報に対応付けられた対象物情報の中から画像データと合致する対象物の対象物情報を情報端末２へ送信する。
【０１３０】
ステップＳ４０で、情報端末２は受信した対象物情報を表示する。
【０１３１】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【０１３２】
＜総括＞
以上、本発明の好適な実施の形態は、本発明の範囲を限定するものではなく、特許請求の範囲に定義された本発明の広範な趣旨および範囲から逸脱することなく、様々な修正および変更を加えることができることは明らかである。すなわち、具体例の詳細および添付の図面により本発明が限定されるものと解釈してはならない。
【符号の説明】
【０１３３】
１      情報提供システム
２      情報端末
２１    発音装置識別情報抽出部
２２    対象物情報送信要求部
２３    撮影部
２４    対象物情報蓄積数記憶部
２５    表示部
２６    通信制御部
２０１  ＥＥＰＲＯＭ
２０２  ＲＯＭ
２０３  ＲＡＭ
２０４  ＣＰＵ
２０５  カメラ
２０６  入力部
２０７  表示部
２０８  集音部
２０９  発音部
２１０  ドライブ
２１１  記憶媒体
２１２  移動体通信部
２１３  無線ＬＡＮ通信部
３      発音装置
３１    発音部
３２    発音装置識別情報管理部
３３    通信制御部
３０１  メモリ
３０２  ＣＰＵ
３０３  ネットワークＩ／Ｆ
３０４  増幅器
３０５  スピーカ
４      サーバ
４１    対象物情報管理部
４２    対象物情報記憶部
４３    画像照合部
４４    発音装置識別情報管理部
４５    発音装置識別情報記憶部
４６    通信制御部
４０１  入力部
４０２  出力部
４０３  ドライブ
４０４  記憶媒体
４０５  インタフェース
４０６  補助記憶部
４０７  メモリ
４０８  ＣＰＵ
【先行技術文献】
【特許文献】
【０１３４】
【特許文献１】特開２０１１−６０１３０号公報
【図１】
0006432176.tif 000002
【図２】
0006432176.tif 000003
【図３】
0006432176.tif 000004
【図４】
0006432176.tif 000005
【図５】
0006432176.tif 000006
【図６】
0006432176.tif 000007
【図７】
0006432176.tif 000008
【図８】
0006432176.tif 000009
【図９】
0006432176.tif 000010
【図１０】
0006432176.tif 000011
【図１１】
0006432176.tif 000012
【図１２】
0006432176.tif 000013
【図１３】
0006432176.tif 000014
【図１４】
0006432176.tif 000015
【図１５】
0006432176.tif 000016
【図１６】
0006432176.tif 000017